(57)【特許請求の範囲】
【請求項１】
空調機本体と固定部材と仮止め部材を備えた天井装着式空調機であり、
前記空調機本体は、天井開口部を通過して天井下面側から天井裏に侵入可能なサイズであり、
前記仮止め部材は、前記空調機本体が前記天井開口部を通過している間は収縮して前記空調機本体の通過を許容し、前記空調機本体が前記天井裏に侵入したときに自然形状に復帰して前記空調機本体の脱落を防止する弾性部材で構成され、
前記固定部材は、天井側固定部材と空調機本体側固定部材で構成され、前記仮止め部材が前記天井開口部から前記空調機本体が脱落するのを防止している位置関係で、前記天井側固定部材と前記空調機本体側固定部材が組み合わせ状態を維持することを特徴とする天井装着式空調機。
【発明の詳細な説明】
【０００１】
【発明の属する技術分野】
本発明は、天井に装着される天井装着式空調機に関するものである。特に、天井に天井装着式空調機を仮止めする技術に関するものである。
【０００２】
【従来の技術】
従来の天井装着式空調機の一例を、図面を参照しながら説明する。図１は、天井の開口部と空調機本体を示す斜視図である（空調機本体を天井に装着した後に、空調機本体の下部をカバーするパネルカバーが取り付けられるが、図の明瞭化のため、図１では、パネルカバーを省略して図示している）。
図１に示されているように、天井装着式空調機１１０が取り付けられる天井１１５には、方形の開口部１１５ａが形成されており、この開口部１１５ａの四隅には、４本の固定ボルト１１６が垂直方向に取り付けられている。また、空調機本体１１２の下部には、平面形が方形のツバ状のフランジ１１７が形成されており、このフランジ１１７の前記の固定ボルト１１６に対応する位置に、垂直方向に貫通する取付穴１１８が開口されている。
使用者が空調機本体１１２を天井に装着する際には、空調機本体を持ち上げ、天井１１５の開口部１１５ａに空調機本体１１２を下側から差し込み（侵入させ）、固定ボルト１１６を取付穴１１８に挿入する。さらに、空調機本体１１２を上方に移動させ、フランジ１１７の上面を開口部１１５ａの周縁の下部に当接させる。続いて、この状態に空調機本体１１２を保持しつつ、固定ボルト１１６にクッションゴム１２２とワッシャ１２３とを差し込み、最後にナット１２４を締め込んで空調機本体１１２を天井１１５に装着する。
【０００３】
【発明が解決しようとする課題】
しかしながら、上述した作業手順による空調機本体１１２の天井１１５への装着は、固定ボルト１１６にナット１２４を締め込むまでは、使用者が空調機本体１１２を保持していなければならず、面倒であった。
また、天井１１５への空調機本体１１２の装着は、使用者が脚立等に登って行われるのが通常であり、このような不安定な姿勢で、かなりの重量の空調機本体１１２を保持しつつナット１２４を締め込むのは、面倒かつ危険であった。
従って、以上の問題を改善し、天井への装着が容易に行える天井装着式空調機が大いに求められていた。
【０００４】
本発明は、かかる問題を解決するためになされたもので、天井への装着が容易に行える天井装着式空調機を提供することを課題とする。
【０００５】
【課題を解決するための手段および作用と効果】
請求項１に記載の天井装着式空調機は、空調機本体と固定部材と仮止め部材を備えており、前記空調機本体は、天井開口部を通過して天井下面側から天井裏に侵入可能なサイズであり、前記仮止め部材は、前記空調機本体が前記天井開口部を通過している間は収縮して前記空調機本体の通過を許容し、前記空調機本体が前記天井裏に侵入したときに自然形状に復帰して前記空調機本体の脱落を防止する弾性部材で構成され、前記固定部材は、天井側固定部材と空調機本体側固定部材で構成され、前記仮止め部材が前記天井開口部から前記空調機本体が脱落するのを防止している位置関係で、前記天井側固定部材と前記空調機本体側固定部材が組み合わせ状態を維持することを特徴としている。
上記の天井装着式空調機（以下、空調機と略す）によれば、空調機本体に備えられている仮止め部材は弾性体であり、空調機本体が天井の開口部を通過している間は収縮し、空調機本体が天井裏に侵入したときに自然形状に復帰して空調機本体が脱落するのを防止する。また、固定部材は、天井側固定部材と空調機本体側固定部材から構成され、仮止め部材が天井開口部から空調機本体が脱落するのを防止している位置関係（以下、「仮止め位置」と言う）で、天井側固定部材と空調機本体側固定部材との組み合わせ状態を維持する。
なお、上記の「組み合わせ状態を維持する」とは、天井側固定部材と空調機本体側固定部材との相対的な位置関係が規制、あるいは、固定されていることを意味する。相対的位置関係が規制されていると、その位置が維持され、固定部材を操作すると位置を移動させることができる。
このような構成の空調機を天井に装着する作業においては、空調機本体を仮止め位置に位置させれば、使用者は空調機本体を保持しておく必要がない。空調機本体を保持しておく必要がないと、使用者は、その状態から固定部材を操作して、空調機本体を容易に天井に装着できる。
従って、以上の構成の空調機によれば、天井への装着が容易な空調機を得ることができる。
【０００６】
【発明の実施の形態】
上述した請求項１に記載の空調機は、下記に示す形態で好適に実施することができる。
（形態１）請求項１に記載の空調機においては、空調機本体の両側面に、仮止め部材としての２個の仮止め金具が取り付けられていてもよい。
仮止め金具は、平面形が矩形で板状に形成されており、矩形の短辺の一方を上端として空調機本体の両側面に取り付けられ、下端となる他方の短辺は、空調機本体の外側に広がった形状に形成されている。この仮止め金具は、弾性材料から製作されているので、空調機本体の内側方向に力を加えると変形し、力を抜くと変形が開放されて元の自然形状に復帰する。
空調機本体の両側面に取り付けられている２個の仮止め金具の下端間の距離は、略方形に開口された天井の対向する周縁間の距離よりも僅かに大きく設定されている。このため、空調機本体を天井の開口部に下側から差し込んで行くと、仮止め金具は天上の開口部の周縁に接触しつつ内側に変形する（収縮する）。また、仮止め金具の上端と下端の間の距離は、空調機本体が天井に対して仮止め位置にあるときには、上記の変形が開放されるように設定されている。従って、空調機本体が天井の開口部に差し込まれ、仮止め位置に達すると、仮止め金具は変形が開放されて下端が外側に広がる。変形が開放された、仮止め金具の下端間の距離は、上述したように、天井の対向する周縁間の距離よりも僅かに大きいので、仮止め金具の下端が天井の開口部の周縁上部に掛止し、空調機本体は天井に対して仮止めされる。
また、天井からは螺旋が形成された、天井側固定部材としての固定ボルトが下方に突き出しており、空調機本体が仮止め位置に位置する際には、この固定ボルトが空調機本体に形成されている取付穴に挿入される。この状態から、前記の固定ボルトに空調機本体側固定部材としてのナットを締め込むことにより、空調機本体は天井に固定される。
（形態２）請求項１に記載の空調機においては、仮止め部材を、空調機が天井から脱落するのを恒久的に防止できる構成としてもよい。
例えば、仮止め部材を強固な部材とし、恒久的に空調機が脱落するのを防止する構成とすれば、固定部材は、補助的に空調機の位置を維持する機能を受け持つだけでよい。
このような構成によれば、固定部材をより簡略化できる。
（形態３）請求項１に記載の空調機においては、仮止め位置と、空調機が固定部材を操作されることによって、天井に最終的に装着される位置が同一位置であってもよい。
このような構成によれば、固定部材を操作する手間を減らすことができる。
【０００７】
【実施例】
本発明の空調機の実施例を、空調機の一種である浴室乾燥暖房機を用いて説明する。
まず最初に、浴室乾燥暖房機の全般の構成、およびその動作について、図２、図３を参照しながら説明する。
図２は、浴室の天井に装着された浴室乾燥暖房機、およびその周辺装置を示す斜視図である。図３は、浴室乾燥暖房機を下方から見た平面図である。
図２に示されているように、浴室乾燥暖房機１０は、浴室１１の天井１５に装着される。浴室１１の内部には、入浴のためのバスタブ１４等が収容されている。また、浴室乾燥暖房機１０には、温水が供給される温水供給口３６が設けられ、内部には温風ファンと熱交換器（温風ファンと熱交換器は図示していない）とが内蔵されている。温風ファンは、図３に示されている、パネルカバー１８に開口している吸入口３８を介して、浴室１１内の空気を吸い込み、熱交換器を通過させる。温水供給口３６には、供給配管３２を通して給湯器３１から温水が供給され、この温水は前記の熱交換器を流れる。温水が前記の熱交換器を流れることにより、温風ファンによって吸い込まれ熱交換器を通過した空気は、熱交換作用によって温められる。熱交換器で温められた空気は、パネルカバー１８に形成されている吹き出し口４２から下方に向かって吹き出され、浴室１１を温める。前記の熱交換器を流れ、熱交換作用で温度が低下した水は、排出配管３３を通って給湯器３１へ戻され、再び温められて浴室乾燥暖房機１０へ送られる。
【０００８】
浴室乾燥暖房機１０には、換気ファン（図示していない）も内蔵されており、浴室１１内の空気を換気する場合には、この換気ファンが作動して浴室１１内の空気をパネルカバー１８の吸入口３８から吸い込む。換気ファンによって吸い込まれた浴室１１内の空気は、浴室乾燥暖房機１０に接続されている換気ダクト３７を通って屋外に排出される。
パネルカバー１８の吹き出し口４２には、板状の複数のブレードから構成され、ブレードの方向を変化させることにより、吹き出す温風の方向を設定するルーバー４４が設けられている。図示していないが、パネルカバー１８の裏側（上面側）には、前記のルーバー４４の駆動装置や操作リモコンの受光装置等が取り付けられている。浴室乾燥暖房機１０の温風ファン、ルーバー４４の駆動装置、およびこれらの制御機器等へは、ブレーカ３９と電気配線３５を経由して電力が供給されている。また、浴室乾燥暖房機１０と給湯器３１の間は信号線３４で結ばれており、この信号線３４を介して相互の運転状況を電気信号として伝達し、浴室乾燥暖房機１０と給湯器３１の運転を適切に制御している。
なお、浴室の天井１５には開閉可能な点検口１３が設けられている。浴室乾燥暖房機１０のほとんどの部分は、天井１５に装着された後には天井裏に隠れてしまうので、使用者はこの点検口１３から体を入れて、点検・整備作業（例えば、浴室乾燥暖房機への配管や電気配線の接続作業）を実施する。
【０００９】
本実施例の浴室乾燥暖房機は、仮止め金具を備えており、天井に仮止めすることができる。以下に、この構成と、浴室乾燥暖房機を天井に仮止めする作業手順について説明する。
図４は、天井に装着された浴室乾燥暖房機の側面図である。図５は、図４のＶ−Ｖ線矢視図である。図６は、浴室乾燥暖房機本体と仮止め金具の取り付け状態の細部を示す斜視図である。
図４に示されているように、浴室乾燥暖房機本体１２の下部にはツバ状のフランジ１７が形成されており、また天井１５に開口している略方形の開口部１５ａの四隅には、固定ボルト１６が垂直方向に取り付けられている。浴室乾燥暖房機本体１２のフランジ１７の、固定ボルト１６に対応する位置には、垂直方向に貫通した取付穴１７ａが開口しており、固定ボルト１６がこの取付穴１７ａに挿入され、更にナット２４が締め付けられることにより、浴室乾燥暖房機本体１２は天井１５に装着される。
図４、図５、図６に示されているように、浴室乾燥暖房機１０の両側面には、仮止め金具５２が取り付けられている。仮止め金具５２は板状で、平面形が矩形に形成されており、図６に良く示されているように、上方に開いたスリット５２ａが形成されている。この２個のスリット５２ａに挟まれ、かつ仮止め金具５２の幅（矩形をなす仮止め金具の、短辺側）の中点よりもずれた位置に、円形の取付穴５２ｂが形成されている。また、仮止め金具５２は、５２ｃに示す部位で屈曲されている。浴室乾燥暖房機本体１２の仮止め金具取り付け部５４には、仮止め金具５２のスリット５２ａと取付穴５２ｂに対応する位置に、２個の円柱状の突出部材５４ａと、スクリュウ穴５４ｂが形成されている。
【００１０】
この仮止め金具５２のスリット５２ａを仮止め金具取り付け部５４の突出部材５４ａに滑り込ませ、スクリュウ５５をスクリュウ穴５４ｂにネジ込むことにより、仮止め金具５２は仮止め金具取り付け部５４に取り付けられる。なお、仮止め金具５２の取付穴５２ｂは、上述したように、仮止め金具の幅の中点よりもずれた位置に形成されているので、上下の方向を間違えて仮止め金具５２を取り付けることが防止される。仮止め金具５２は５２ｃの位置で屈曲されているので、下端５２ｄが外側に広がった状態で、仮止め金具取り付け部５４に取り付けられる。
また、仮止め金具５２は、弾性材料から製作されているので、例えば、仮止め金具５２の下端５２ｄに浴室乾燥暖房機本体１２側への力を加えると、屈曲部位５２ｃと下端５２ｄの間全体で変形し、下端５２ｄは浴室乾燥暖房機本体１２側に移動する。下端５２ｄに加えた力を除くと、変形は開放され、下端５２ｄは元の位置に戻る。
図４に示されているように、浴室乾燥暖房機１２の両側面に取り付けられた状態での仮止め金具５２の下端５２ｄの相互間の距離Ａは、天井１５の開口部１５ａの対向する周縁間の距離Ｂよりも僅かに大きく設定されている。
【００１１】
次に、浴室乾燥暖房機１０を天井１５に装着する作業手順について図面を参照しながら説明する。
図７は、浴室乾燥暖房機本体１２を天井１５に装着するために、天井１５の開口部１５ａに差し込んでいく途中の状態を示す側面図である。図８は、浴室乾燥暖房機本体１２が、天井に仮止めされた状態を示す側面図である。
浴室乾燥暖房機１０を天井に装着する際には、まず、浴室乾燥暖房機本体１２の下面からパネルカバー１８を取り外しておく。浴室乾燥暖房機本体１２を天井の開口部１５ａに下方側から差し込んでいくと、図７に示されているように、仮止め金具５２は開口部１５ａの周縁１５ｂに接触し、さらに差し込んでいくと周縁１５ｂに押されて、浴室乾燥暖房機本体１２側に変形する。仮止め金具５２を変形させつつ浴室乾燥暖房機１２を開口部に更に差し込んでいくと、図８に示されているように、天井１５から下方に突き出している４本の固定ボルト１６が、浴室乾燥暖房機本体１２のフランジ１７に開口している取付穴１７ａに挿入される。この状態では、仮止め金具５２の下端５２ｄは、周縁上部１５ｃよりも上に位置するように寸法が設定されているので、変形が開放されて元の形状にもどる。仮止め金具５２が元の形状に戻ると、下端５２ｄが開口部の周縁上部１５ｃに掛止する（引っ掛かる）。よって、浴室乾燥暖房機１２は天井１４に仮止めされる。浴室乾燥暖房機本体１２が仮止めされていれば、使用者は、浴室乾燥暖房機本体１２を保持しておく必要はない。この状態でクッションゴム２２とワッシャ２３を差し込み、さらにナット２４を締め込むことにより、容易に浴室乾燥暖房機本体１２を天井に装着することができる。
【００１２】
以上、本発明の実施例の浴室乾燥暖房機について説明したが、本発明は上記の実施例になんら限定されるものではなく、本発明は当業者の知識に基づいて種々の変更、改良を施した形態で実施することができる。
【００１３】
例えば、仮止め金具を図９に示すような形状に形成してもよい。
仮止め金具６２は上端側に水平面６２ａが形成されており、その端面には方形のスリット６２ｂが切り込まれおり、このスリット６２ｂを挟んで２個の取付穴６２ｃが開口されている。また、浴室乾燥暖房機本体１２の仮止め金具取り付け部６４には、仮止め金具６２のスリット６２ｂと取付穴６２ｃに対応する位置に、方形突出部６４ａとスクリュウ穴６４ｂが形成されている。仮止め金具６２のスリット６２ｂを方形突出部６４ａに差し込み、２本のスクリュウ５５をネジ込むことによって、仮止め金具６２は浴室乾燥暖房機本体１２に取り付けられる。この構成では、方形突出部６４ｂにスリット６２ｂに差し込むことで、仮止め金具取り付け部６４に対する仮止め金具６２の位置決めが容易になり、かつ、２本のスクリュウ５５をネジ込むことで、仮止め金具６２はしっかりと固定される。
【００１４】
例えば、仮止め金具と、仮止め金具取り付け部を図１０に示すような形状に形成してもよい。
仮止め金具７２の上端には、上方が開いた上下方向に伸びるスリット７２ａと、上下に並んだ取付穴７２ｂ、７２ｃが形成されている。浴室乾燥暖房機本体１２の仮止め金具取り付け部７４には円柱形状の突出部７４ａと、その両側に２個のスクリュウ穴７４ｂが形成されている。
仮止め金具取り付け部７４の突出部７４ａに仮止め金具７２の取付穴７２ｂ、あるいは、７２ｃを挿入し、スクリュウ５５をスクリュウ穴７４ｂにネジ込むことにより、仮止め金具７２は固定される。このように、仮止め金具７２は、取付穴７２ｂか７２ｃのどちらにでも挿入することができるので、仮止め金具７２の上下方向の取り付け位置を２段階に調整することができる。即ち、この構成によれば、天井に対する浴室乾燥暖房機の取り付け位置を２段階に調整できる。
なお、スクリュウ５５を途中までゆるめた状態で、仮止め金具７２を軸方向に移動させると、取付穴７２ｂ、あるいは、７２ｃを突出部７４ａから抜き取ることができる。さらに、仮止め金具７２を、スクリュウ５５の軸にスリット７２ａに沿わせながら下方に移動させると、仮止め金具７２を取り外すことができる。即ち、スクリュウ５５を取り付けたままで、仮止め金具７２を浴室乾燥暖房機本体１２から取り外すことができる。
浴室乾燥暖房機１０を浴室１１の天井１５から取り外す場合、図２に示されている点検口１３から使用者は体を天井裏に入れ、仮止め金具７２を取り外してから行う必要がある。上記の構成によれば、スクリュウ５５を取り付けたままで仮止め金具７２を取り外せるので、スクリュウ５５を紛失することが防止される。よって、紛失してしまったスクリュウ５５を、暗く、狭い天井裏では探す必要がなくなるのである。
【００１５】
例えば、図１１に示すように、仮止め金具と、仮止め金具取り付け部を形成してもよい。
仮止め金具８２には、２個の取付穴８２ａが開口しており、仮止め金具取り付け部８４には、円柱状の突出部８４ａとスクリュウ穴８４ｂが形成されている。突出部８４ａを取付穴８２ａに挿入し、スクリュウ５５をスクリュウ穴８４ｂにネジ込むことにより、仮止め金具８２は仮止め金具取り付け部８４に取り付けられる。この構成では、１本のスクリュウ５５をネジ込むだけで、仮止め金具８２を固定することができる。
【００１６】
例えば、図１２に示すように、仮止め金具と、仮止め金具取り付け部を形成してもよい。
仮止め金具９２には、上方が開いた上下方向に伸びるスリット９２ａと、取付穴９２ｂが形成されている。仮止め金具取り付け部９４には、平面形が略矩形の突出部９４ａと、スクリュウ穴９４ｂが形成されている。突出部９４ａにスリット９２ａを差し込み、スクリュウ５５をネジ込むことによって、仮止め金具９２は仮止め金具取り付け部９４に固定される。この構成においても、１本のスクリュウ５５をネジ込むだけで、仮止め金具９２を固定することができる。
【００１７】
また、上述した実施例においては、仮止め部材として、板状の仮止め金具を用い、この仮止め金具の弾性を利用して浴室乾燥暖房機の仮止めを実現しているが、仮止め部材は必ずしも板状である必要はない。弾性を利用して仮止めできればどのような構成でもよく、例えば、コイルバネ等の弾性を利用した構成としてもよい。
【図面の簡単な説明】
【図１】天井の開口部と、従来の技術の空調機本体の斜視図。
【図２】本発明の実施例の、浴室乾燥暖房機が浴室に設置された状態を示す斜視図。
【図３】同、浴室乾燥暖房機の平面図。
【図４】同、浴室乾燥暖房機の側面図。
【図５】同、図４のＶ−Ｖ線矢視図。
【図６】同、仮止め金具の取り付け状態の細部を示す斜視図。
【図７】同、浴室乾燥暖房機と天井の側面図（装着途中の状態）。
【図８】同、浴室乾燥暖房機と天井の側面図（仮止め状態）。
【図９】同、仮止め金具の変形例を示す斜視図。
【図１０】同、仮止め金具の変形例を示す斜視図。
【図１１】同、仮止め金具の変形例を示す斜視図。
【図１２】同、仮止め金具の変形例を示す斜視図。
【符号の説明】
１０：浴室乾燥暖房機
１１：浴室
１２：浴室乾燥暖房機本体
１３：点検口
１４：バスタブ
１５：天井、１５ａ：開口部、１５ｂ：開口部の周縁、１５ｃ：周縁上部
１６：固定ボルト
１７：フランジ、１７ａ：取付穴
１８：パネルカバー
２２：クッションゴム
２３：ワッシャ
２４：ナット
３１：給湯器
３２：供給配管
３３：排出配管
３４：信号線
３５：電気配線
３６：温水供給口
３７：換気ダクト
３８：吸入口
３９：ブレーカ
４２：吹き出し口
４４：ルーバー
５２：仮止め金具、５２ａ：スリット、５２ｂ：取付穴、５２ｃ：屈曲部位、５２ｄ：下端
５４：仮止め金具取り付け部、５４ａ：突出部材、５４ｂ：スクリュウ穴
５５：スクリュウ
６２：仮止め金具、６２ａ：水平面、６２ｂ：スリット、６２ｃ：取付穴
６４：仮止め金具取り付け部、６４ａ：方形突出部、６４ｂ：スクリュウ穴
７２：仮止め金具、７２ａ：スリット、７２ｂ：取付穴、７２ｃ：取付穴
７４：仮止め金具取り付け部、７４ａ：突出部、７４ｂ：スクリュウ穴
８２：仮止め金具、８２ａ：取付穴
８４：仮止め金具取り付け部、８４ａ：突出部、８４ｂ：スクリュウ穴
９２：仮止め金具、９２ａ：スリット、９２ｂ：取付穴
９４：仮止め金具取り付け部、９４ａ：突出部、９４ｂ：スクリュウ穴
Ａ：仮止め金具の下端相互間の距離
Ｂ：天井開口部の周縁間の距離
【図１】
0003756395.tif 000002
【図２】
0003756395.tif 000003
【図３】
0003756395.tif 000004
【図４】
0003756395.tif 000005
【図５】
0003756395.tif 000006
【図６】
0003756395.tif 000007
【図７】
0003756395.tif 000008
【図８】
0003756395.tif 000009
【図９】
0003756395.tif 000010
【図１０】
0003756395.tif 000011
【図１１】
0003756395.tif 000012
【図１２】
0003756395.tif 000013